(57)【要約】【課題】  情報送出手段を保有しているべき移動体についての存在又は不存在の検出正確性を高めた位置検出システムを提供する。【解決手段】  情報取得装置の情報受信部が、各ＲＦ−ＩＤから固有の識別情報を受信すると（Ｇ１）、情報取得装置の情報送信部が、各ＲＦ−ＩＤ固有の識別情報と、この情報取得装置の配設場所情報とを送信し（Ｇ２）、ホストコンピュータのリスト作成部が、情報送信部から各ＲＦ−ＩＤ固有の識別情報及び上記情報取得装置の配設場所情報を受信すると（Ｈ１）、これら両情報を対応付けて各ＲＦ−ＩＤの位置情報のリストを作成する（Ｈ２，Ｈ３）。表示制御部は、この位置情報リストを表示部に表示させる（Ｈ４）。【選択図】      図５
2005181224.tif 000002
【特許請求の範囲】
【請求項１】
少なくとも固有の識別情報を含む情報を記憶し、この情報を電波を介して送出する複数の情報送出手段と、
前記情報送出手段に対して電波を送信して、前記各情報送出手段固有の識別情報を前記情報送出手段から電波を介して受信する情報受信部と、この情報受信部が受信した前記各情報送出手段固有の識別情報、及びこの情報送出手段からその固有の識別情報を当該情報受信部が受信した場所を示す配設場所情報を送信する情報送信部とを有する複数の情報取得手段と、
前記情報取得手段の情報送信部から、前記情報送出手段固有の識別情報及び前記情報取得手段の配設場所情報を受信し、これら両情報を対応付けて前記情報送出手段の位置情報のリストを作成するリスト作成部と、時間経過を計測するタイマ部と、前記情報取得手段の情報送信部から前記リスト作成部が当該情報取得手段の配設場所情報を受信した最終の時点から、所定時間が経過したことが前記タイマ手段で計測された場合に、前記情報送出手段が当該情報取得手段の情報受信部の情報受信範囲内には存在しないと判別する不存在判別部とを有する情報処理装置とを備え、
前記情報処理装置のリスト作成部は、前記位置情報のリストを、前記不存在判別部で不存在と判別された前記情報送出手段の固有の識別情報に関連付けられている前記情報取得手段の配設場所情報を、前記各情報取得手段の情報受信部の情報受信範囲内には存在しない旨を示す情報に置き換える位置検出システム。
【請求項２】
前記情報処理装置には、前記情報送出手段が不存在であることを示す不存在情報の入力を受け付ける不存在情報受付手段が接続され、
前記不存在判別部は、前記不存在情報受付手段で不存在情報が受け付けられた情報送出手段から、前記情報取得手段の情報受信部が情報を受信したか否かに関わらず、当該情報送出手段が前記各情報取得手段の情報受信部の情報受信範囲内に存在しないと判別する請求項１に記載の位置検出システム。
【請求項３】
前記情報処理装置は、各種の情報を表示する表示部と、前記リスト作成部によって作成された前記位置情報のリストを前記表示部に表示させる表示制御部と、を備える請求項１又は請求項２に記載の位置検出システム。
【請求項４】
前記情報処理装置は、前記各情報取得手段の情報受信部に前記情報送出手段から情報が受信された時刻を計測する時刻計測部と、前記各情報送出手段固有の識別情報に関連付けられた所定の時刻及び場所を記憶するデータテーブルが記憶された記憶部と、前記時刻計測部によって計測された時刻と、この時刻計測部による時刻計測の対象となった情報送出手段からの情報を受信した前記情報取得手段の情報受信部の配設場所とが、前記データテーブルに記憶されている当該情報送出手段についての所定の時刻及び場所に合致するか否かを判別する対応関係判別部とを備え、
前記対応関係判別部によって、前記時刻及び場所が合致しないと判別された場合は、前記表示制御部が、前記表示部に警告を促すメッセージを表示させる請求項１乃至請求項３のいずれかに記載の位置検出システム。
【請求項５】
前記情報処理装置は、外部操作により前記情報送出手段固有の識別情報の入力を受け付ける操作部と、前記位置情報のリストに基づいて、前記操作手段で受け付けられた情報送出手段固有の識別情報に対応付けられた前記情報取得手段の配設場所を判別する位置判別部とを有し、
前記表示制御部は、前記位置判別部によって判別された前記情報取得手段の配設場所を、前記表示部に表示させる請求項１乃至請求項４のいずれかに記載の位置検出システム。
【請求項６】
前記情報取得手段は、電話機を含む情報通信端末に設けられ、その情報送信部が前記リスト作成手段に対して送出する前記配設場所情報には、前記情報通信端末との通信を行うために使用するアクセス情報が含まれ、
前記情報処理装置は、前記位置情報のリストに基づいて、前記操作部で受け付けられた情報送出手段固有の識別情報に対応付けられた前記配設場所情報に含まれるアクセス情報を判別するアクセス情報判別部を備え、
前記表示制御部は、前記アクセス情報判別部によって判別された前記アクセス情報を、前記表示部に表示させる請求項５に記載の位置検出システム。
【請求項７】
前記情報送出手段は、前記固有の識別情報に加えて、個人名情報及び所属部署情報を記憶し、これらの情報を電波を介して前記情報所得手段に送出し、
前記情報処理装置のリスト作成部は、前記情報送出手段固有の識別情報に、個人名情報及び所属部署情報を更に関連付けて前記位置情報のリストを作成し、前記表示制御部は、前記操作部にある所属部署情報の入力が受付られると、前記位置情報のリストに基づいて、当該受け付けられた所属部署情報毎に、前記個人名情報、当該個人名情報に関連付けられている前記アクセス情報及び前記配設場所情報を前記表示部に表示させる請求項６に記載の位置検出システム。
【請求項８】
前記情報処理装置のリスト作成部は、前記情報取得手段の情報送信部から、前記情報送出手段固有の識別情報及び前記配設場所情報を受信すると、この情報取得手段の配設場所情報に加えて、当該情報取得手段の近傍に配設されている情報取得手段の配設場所情報を、当該情報送出手段固有の識別情報に対応付けて、前記情報送出手段の位置情報のリストを作成する請求項１乃至請求項７のいずれかに記載の位置検出システム。
【発明の詳細な説明】
【技術分野】
【０００１】
本発明は、移動体の位置を検出するシステムに関し、特に、複数の移動体の位置を容易に把握するための技術に関する。
【背景技術】
【０００２】
従来、個人や特定物体等の移動体を識別するシステムとして、ＲＦ−ＩＤ（radio frequency Identification）システムが知られている。このＲＦ−ＩＤシステムは、複数の移動体にそれぞれ取り付けられた情報送出手段（例えば、ＲＦ−ＩＤタグ）と、コンピュータ等に接続された複数のアンテナとが、特定周波数の電波を介して通信し、情報送出手段が保有する情報に基づいて、この情報送出手段が付けられた移動体をコンピュータが識別したり、情報送出手段と通信した各アンテナの配設場所に基づいて、情報送出手段が付された移動体の位置を検出するようになっている。誰がどこに位置しているのかを正確に特定する位置検知システムとしては、特許文献１に示されるものがある。
【特許文献１】特開２００２−１４８３４９号公報
【発明の開示】
【発明が解決しようとする課題】
【０００３】
しかしながら、上記のようなシステムでは、情報送出手段が付された各移動体の存在位置を検知できるものの、情報送出手段が付された移動体、例えば、情報送出手段を保有しているべき企業職員等が、情報送出手段を放置してその場を離れた場合は、情報送出手段を保有しているべき企業職員が、いつまでもその場所に存在すると検出されることになる。また、情報送出手段を保有しているべき企業職員が、情報送出手段を保有したままで、この情報送出手段からの情報を受信するアンテナの受信領域から離れた場合も、情報送出手段を保有しているべき企業職員が、いつまでも最終検出場所に存在すると検出されることになる。
【０００４】
本発明は、上記の問題を解決するためになされたもので、情報送出手段を保有しているべき移動体についての存在又は不存在の検出正確性を高めた位置検出システムを提供することを目的とするものである。
【課題を解決するための手段】
【０００５】
本発明の請求項１に記載の発明は、少なくとも固有の識別情報を含む情報を記憶し、この情報を電波を介して送出する複数の情報送出手段と、
前記情報送出手段に対して電波を送信して、前記各情報送出手段固有の識別情報を前記情報送出手段から電波を介して受信する情報受信部と、この情報受信部が受信した前記各情報送出手段固有の識別情報、及びこの情報送出手段からその固有の識別情報を当該情報受信部が受信した場所を示す配設場所情報を送信する情報送信部とを有する複数の情報取得手段と、
前記情報取得手段の情報送信部から、前記情報送出手段固有の識別情報及び前記情報取得手段の配設場所情報を受信し、これら両情報を対応付けて前記情報送出手段の位置情報のリストを作成するリスト作成部と、時間経過を計測するタイマ部と、前記情報取得手段の情報送信部から前記リスト作成部が当該情報取得手段の配設場所情報を受信した最終の時点から、所定時間が経過したことが前記タイマ手段で計測された場合に、前記情報送出手段が当該情報取得手段の情報受信部の情報受信範囲内には存在しないと判別する不存在判別部とを有する情報処理装置とを備え、
前記情報処理装置のリスト作成部は、前記位置情報のリストを、前記不存在判別部で不存在と判別された前記情報送出手段の固有の識別情報に関連付けられている前記情報取得手段の配設場所情報を、前記各情報取得手段の情報受信部の情報受信範囲内には存在しない旨を示す情報に置き換える位置検出システムである。
【０００６】
この構成では、情報取得手段の情報受信部が、各情報送出手段から固有の識別情報を受信すると、情報送信部が、各情報送出手段固有の識別情報と、この情報送出手段からその固有の識別情報を当該情報受信部が受信した場所を示す配設場所情報とを送信し、情報処理装置のリスト作成部は、情報送信部から各情報送出手段固有の識別情報及び配設場所情報を受信すると、これら両情報を対応付けて各情報送出手段の位置情報のリストを作成すると共に、タイマ部によって、情報取得手段の情報送信部からリスト作成部が情報を受信した最終の時点から所定時間の経過が計測されると、不存在判別部が、情報送出手段は情報受信部の情報受信範囲内には存在しないと判別し、リスト作成部によって、上記位置情報のリストにおける、不存在判別部で不存在と判別された情報送出手段に関連付けられている配設場所情報が、情報送出手段は情報受信部の情報受信範囲内に存在しない旨を示す情報に置き換えられるようになっている。
【０００７】
また、請求項２に記載の発明は、請求項１に記載の位置検出システムであって、前記情報処理装置には、前記情報送出手段が不存在であることを示す不存在情報の入力を受け付ける不存在情報受付手段が接続され、
前記不存在判別部は、前記不存在情報受付手段で不存在情報が受け付けられた情報送出手段から、前記情報取得手段の情報受信部が情報を受信したか否かに関わらず、当該情報送出手段が前記各情報取得手段の情報受信部の情報受信範囲内に存在しないと判別するものである。
【０００８】
この構成では、情報処理装置に接続された不存在情報受付手段で不存在情報が受け付けられている限り、不存在判別部は、情報取得手段の情報受信部が情報送出手段からの情報を受信したか否かに関わらず、情報送出手段は情報受信部の情報受信範囲内に存在しないと判別する。これにより、情報処理装置のリスト作成部によって、上記位置情報のリストにおける、不存在判別部で不存在と判別された情報送出手段に関連付けられている情報受信部の配設場所情報が、情報送出手段は情報受信部の情報受信範囲内に存在しない旨を示す情報に置き換えられる。
【０００９】
また、請求項３に記載の発明は、請求項１又は請求項２に記載の位置検出システムであって、前記情報処理装置は、各種の情報を表示する表示部と、前記リスト作成部によって作成された前記位置情報のリストを前記表示部に表示させる表示制御部と、を備えるものである。
【００１０】
この構成では、情報処理装置の表示制御部が、リスト作成部によって作成された前記各情報送出手段の位置情報のリストを表示部に表示させることによって、当該位置検出システムのユーザが、各情報送出手段の位置情報のリストを視認できるようにしている。
【００１１】
また、請求項４に記載の発明は、請求項１乃至請求項３のいずれかに記載の位置検出システム前記情報処理装置は、前記情報処理装置は、前記各情報取得手段の情報受信部に前記情報送出手段から情報が受信された時刻を計測する時刻計測部と、前記各情報送出手段固有の識別情報に関連付けられた所定の時刻及び場所を記憶するデータテーブルが記憶された記憶部と、前記時刻計測部によって計測された時刻と、この時刻計測部による時刻計測の対象となった情報送出手段からの情報を受信した前記情報取得手段の情報受信部の配設場所とが、前記データテーブルに記憶されている当該情報送出手段についての所定の時刻及び場所に合致するか否かを判別する対応関係判別部とを備え、
前記対応関係判別部によって、前記時刻及び場所が合致しないと判別された場合は、前記表示制御部が、前記表示部に警告を促すメッセージを表示させるものである。
【００１２】
この構成では、各情報取得手段の情報受信部に情報送出手段から情報が受信されると、情報処理装置の時刻計測部が当該情報受信時刻を計測し、対応関係判別部が、当該時刻計測部によって計測された時刻と、この時刻計測部による時刻計測の対象となった情報送出手段からの情報を受信した前記情報取得手段の情報受信部の配設場所とが、データテーブルに記憶されている当該情報送出手段についての所定の時刻及び場所に合致するか否かを判別し、時刻及び場所が前記対応関係に合致しないと判別された場合、表示制御部が、表示部に警告を促すメッセージを表示させるようになっている。
【００１３】
請求項５に記載の発明は、請求項１乃至請求項４のいずれかに記載の位置検出システムであって、前記情報処理装置は、外部操作により前記情報送出手段固有の識別情報の入力を受け付ける操作部と、前記位置情報のリストに基づいて、前記操作手段で受け付けられた情報送出手段固有の識別情報に対応付けられた前記情報取得手段の配設場所を判別する位置判別部とを有し、
前記表示制御部は、前記位置判別部によって判別された前記情報取得手段の配設場所を、前記表示部に表示させるものである。
【００１４】
この構成では、情報処理装置の操作部に情報送出手段固有の識別情報の入力が受け付けられると、位置判別部が、上記位置情報のリストに基づいて、上記操作部で受け付けられた情報送出手段固有の識別情報に対応付けられた情報取得手段の配設場所を判別し、この位置判別部による判別結果である情報取得手段の配設場所を、表示制御部が表示手段に表示させるようになっている。
【００１５】
また、請求項６に記載の発明は、請求項５に記載の位置検出システムであって、前記情報取得手段は、電話機を含む情報通信端末に設けられ、その情報送信部が前記リスト作成手段に対して送出する前記配設場所情報には、前記情報通信端末との通信を行うために使用するアクセス情報が含まれ、
前記情報処理装置は、前記位置情報のリストに基づいて、前記操作部で受け付けられた情報送出手段固有の識別情報に対応付けられた前記配設場所情報に含まれるアクセス情報を判別するアクセス情報判別部を備え、
前記表示制御部は、前記アクセス情報判別部によって判別された前記アクセス情報を、前記表示部に表示させるものである。
【００１６】
この構成によれば、各情報取得手段の情報受信部で情報送出手段から情報が受信されると、情報処理装置のアクセス情報判別部が、上記位置情報のリストに基づいて、操作部で受け付けられた情報送出手段固有の識別情報に対応付けられた情報取得手段の配設場所情報から、この情報通信端末へのアクセス情報を判別し、このアクセス情報判別部による判別結果であるアクセス情報を、表示制御部が表示部に表示させるようになっている。
【００１７】
また、請求項７に記載の発明は、請求項６に記載の位置検出システムであって、前記情報送出手段は、前記固有の識別情報に加えて、個人名情報及び所属部署情報を記憶し、これらの情報を電波を介して前記情報所得手段に送出し、
前記情報処理装置のリスト作成部は、前記情報送出手段固有の識別情報に、個人名情報及び所属部署情報を更に関連付けて前記位置情報のリストを作成し、前記表示制御部は、前記操作部にある所属部署情報の入力が受付られると、前記位置情報のリストに基づいて、当該受け付けられた所属部署情報毎に、前記個人名情報、当該個人名情報に関連付けられている前記アクセス情報及び前記配設場所情報を前記表示部に表示させるものである。
【００１８】
この構成では、情報処理装置の操作部に、ある所属部署情報の入力が受け付けられると、当該受付られた所属部署情報毎に、個人名情報と、当該個人名情報に関連付けられているアクセス情報及び情報取得手段の配設場所情報とが、表示制御部によって表示部に表示される。
【００１９】
また、請求項８に記載の発明は、請求項１乃至請求項７のいずれかに記載の位置検出システムであって、前記情報処理装置のリスト作成部は、前記情報取得手段の情報送信部から、前記情報送出手段固有の識別情報及び前記配設場所情報を受信すると、この情報取得手段の配設場所情報に加えて、当該情報取得手段の近傍に配設されている情報取得手段の配設場所情報を、当該情報送出手段固有の識別情報に対応付けて、前記情報送出手段の位置情報のリストを作成するものである。
【００２０】
この構成では、情報処理装置のリスト作成手段は、情報取得手段の情報送信部から受信した各情報送出手段固有の識別情報及び前記情報受信部の配設場所情報に基づいて、情報受信部の配設場所情報と、当該情報受信部の近傍に配設されている情報受信部の配設場所情報の両方を、上記各情報送出手段固有の識別情報に対応付けた上で、情報送出手段の位置情報のリストを作成する。
【発明の効果】
【００２１】
請求項１に記載の発明によれば、情報取得手段の情報送信部からの情報をリスト作成部が受信した最終の時点から所定時間が経過すると、情報送出手段は当該情報受信部の情報受信範囲内には存在しないと判別されるので、例えば、この情報送出手段を保有しているべき人物等が、この情報送出手段を放置してその場を離れた場合や、情報送出手段を保有しているべき人物等が、情報送出手段を保有したまま、上記情報受信部の情報受信領域から離れた場合であっても、情報送出手段が上記情報受信部の情報受信範囲内には存在しないと判別されるため、情報送出手段を保有しているべき人物等がその場を離れたこと、すなわち、情報受信部の情報受信範囲内に存在しなくなったことを正確に判別することが可能になる。
【００２２】
請求項２に記載の発明によれば、情報処理装置に接続された不存在情報受付手段で不存在情報が受け付けられている限り、情報取得手段の情報受信部が情報送出手段からの情報を受信したか否かに関わらず、情報送出手段が情報受信部の情報受信範囲内に存在しないと判別されるので、例えば、この情報送出手段を保有しているべき人物等が、この情報送出手段を放置してその場を離れた場合や、情報送出手段を保有しているべき人物等が、情報送出手段を保有したまま、上記情報受信部の情報受信領域から離れた場合であっても、情報送出手段が上記情報受信部の情報受信範囲内には存在しないと判別されるため、情報送出手段を保有しているべき人物等がその場を離れたこと、すなわち、情報受信部の情報受信範囲内に存在しなくなったことを正確に判別することが可能になる。
【００２３】
請求項３に記載の発明によれば、情報処理装置のリスト作成部によって作成された位置情報のリストが表示部に表示されるので、ユーザが位置情報のリストを視認することにより各情報送出手段の位置を把握することができる。
【００２４】
請求項４に記載の発明によれば、情報取得手段の情報受信部に情報送出手段から情報が受信された時刻と、この情報受信部の配設場所とが、データテーブルに記憶されている当該情報送出手段についての所定の時刻及び場所に合致しない場合は、情報処理装置の表示部に警告を促すメッセージが表示されるので、ユーザが当該表示部に表示されたメッセージを視認することによって、例えば、情報送出手段が、時間通りに決められた位置に存在していないことを容易に把握することができる。
【００２５】
請求項５に記載の発明によれば、情報処理装置の操作部に情報送出手段固有の識別情報の入力が受け付けられると、この識別番号を有する情報送出手段の位置が表示部に表示さるれので、ユーザは、各情報送出手段がそれぞれ保有する固有の識別番号を、操作部に入力するだけで、表示部に表示される内容を視認すれば、各情報送出手段の位置を瞬時に把握することができる。
【００２６】
請求項６に記載の発明によれば、情報処理装置の操作部に情報送出手段固有の識別情報の入力が受け付けられると、この識別番号を有する情報送出手段へのアクセス情報が表示部に表示されるので、ユーザは、各情報送出手段がそれぞれ保有する固有の識別番号を操作手段に入力するだけで、表示部に表示される内容を視認すれば、各情報送出手段へのアクセス情報を瞬時に把握することができる。
【００２７】
請求項７に記載の発明によれば、上記所属部署情報毎に、個人名情報と、当該個人名情報に関連付けられているアクセス情報及び情報受信部の配設場所情報とが整理して表示されるので、ユーザは、各部署に所属する各人の居場所やアクセス方法を瞬時に把握することが可能になる。
【００２８】
請求項８に記載の発明によれば、情報処理装置のリスト作成部によって作成される位置情報のリストには、各情報送出手段から情報を受信した情報取得手段の配設場所情報に加えて、当該情報取得手段の近傍に配設されている情報取得手段の配設場所情報も示されるので、各情報送出手段が存在している可能性の高い複数の位置の情報をユーザに提示できる。
【発明を実施するための最良の形態】
【００２９】
（第１実施形態）
以下、本発明に係る実施形態を図面に基づいて説明する。図１は、本発明の一実施形態に係る位置検出システムの概略構成を示す図である。位置検出システム１は、複数のＲＦ−ＩＤ（radio frequency Identification）タグ（情報送出手段）２と、各ＲＦ−ＩＤタグ２から情報を受信する複数の情報取得装置（情報取得手段）３と、情報取得装置３にＬＡＮ（local area network）接続されたホストコンピュータ（情報処理装置）４と、ホストコンピュータ４にＬＡＮ接続されたクライアントコンピュータ５と、ホストコンピュータ４に接続されている退室確認スイッチ（不存在情報受付手段）６とを有している。
【００３０】
ＲＦ−ＩＤタグ２は、少なくとも固有の識別情報を含む各種の情報を記憶し、電波を介して当該情報を情報取得装置３に送出する。ＲＦ−ＩＤタグ２は、例えば、企業職員が携帯するＩＤカード（身分証明証）等に取り付けられる。
【００３１】
情報取得装置３は、例えば、企業内に配備された各電話機３０に備え付けられている。この情報取得装置３は、ＲＦ−ＩＤタグ２に対して電波を送信して、各ＲＦ−ＩＤタグ２が保有する固有の識別情報を、各ＲＦ−ＩＤタグ２から電波を介して受信する情報受信部（後述）を備える。さらに、情報取得装置３は、情報受信部が受信したＲＦ−ＩＤタグ２固有の識別情報と、ＲＦ−ＩＤタグ２から固有の識別情報を受信した当該情報取得装置３の配設場所情報や、当該情報取得装置３が備え付けられている電話機３０の電話番号情報（特許請求の範囲でいうアクセス情報の一例）とをホストコンピュータ４に送信する情報送信部（後述）とを備える。
【００３２】
ホストコンピュータ４は、情報取得装置３から受信する各種情報を処理して、各ＲＦ−ＩＤタグ２が存在する位置の情報のリスト（以下、位置情報リストという）の作成処理等を行う（処理の詳細は後述）。
【００３３】
クライアントコンピュータ５は、ホストコンピュータ４に対して情報送信要求を送信して、ホストコンピュータ４から必要な情報を受信する。例えば、ホストコンピュータ４から各ＲＦ−ＩＤタグ２の上記位置情報リスト等を受信して、クライアントコンピュータ５が備える表示部に表示されるようになっている。
【００３４】
退室確認スイッチ６は、ＲＦ−ＩＤタグ２が不存在であることを示す不存在情報の入力を受け付ける装置であり、例えば、ＲＦ−ＩＤタグ２が組み込まれたＩＤカード等を携帯すべき企業職員等が、ある部屋を退室する時や退社時に押下することにより、ホストコンピュータ４にオン信号が送られ、ホストコンピュータ４では、ＲＦ−ＩＤタグ２及びこのＲＦ−ＩＤタグ２を携帯すべき企業職員が各情報取得装置３の情報受信部の情報受信範囲内には存在しないと擬制されるようになっている（後述）。なお、この退室確認スイッチ６は、上記の押下式スイッチに限られず、(1) 予め定められた特定の場所における人物の通過を検出するセンサや、(2)予め定められた特定の場所に設置された情報取得装置３がＲＦ−ＩＤタグ２から情報を受信することをもって、退室確認スイッチ６として機能するようにしてもよい。
【００３５】
ＲＦ−ＩＤタグ２及び情報取得装置３の構成について説明する。図２はＲＦ−ＩＤタグ２及び情報取得装置３の構成の概略を示す図である。ＲＦ−ＩＤタグ２は、各種情報（例えば、当該ＲＦ−ＩＤタグ２が組み込まれたＩＤカードを携帯すべき企業職員の個人名情報や所属部署情報等）を記憶するメモリ２１と、情報取得装置３との間での交信を制御する交信制御部２２と、メモリ２１及び交信制御部２２に電力を供給する動作用の電源部２３と、情報取得装置３との間で電波による情報送受信を行うアンテナ２４とを有する。
【００３６】
情報取得装置３は、ＲＦ−ＩＤタグ２に対して、電波を介して情報送信要求指示を送信し、ＲＦ−ＩＤタグ２から電波を介して情報を受信するアンテナ等として機能する情報受信部３１と、情報受信部３１がＲＦ−ＩＤタグ２から受信した情報をホストコンピュータ４に送信する情報送信部３２とを有する。
【００３７】
情報送信部３２は、情報受信部３１との間における情報の交信を制御する交信制御部３２１と、交信制御部３２１とホストコンピュータ４との間での通信に必要な制御を司るシステム／インタフェイス制御部３２２とを有する。
【００３８】
かかる構成により、ＲＦ−ＩＤタグ２が情報取得装置３の情報受信可能範囲に移動し、情報取得装置３がＲＦ−ＩＤタグ２から情報を受信すると、情報取得装置３は、ＲＦ−ＩＤタグ２のメモリ２１に記憶されている各種情報を取得すると共に、このＲＦ−ＩＤタグ２が当該情報取得装置３の情報受信部３１の情報受信範囲内に存在することが検知されるようになっている。
【００３９】
次に、ホストコンピュータ４の構成について説明する。図３はホストコンピュータ４の構成の概略を示すブロック図である。ホストコンピュータ４には、装置全体の動作制御を司る制御部４０が備えられている。この制御部４０には、情報取得装置３から受信した情報等の各種データを記憶するためのＨＤＤ４１と、装置全体の動作制御用のプログラム等が記憶されているＲＯＭ４３と、制御部４０の作業領域として用いられるＲＡＭ４４と、時刻及び時間経過を計測するタイマ（タイマ部、時刻計測部）４５と、キーボードやマウス等から構成され、ユーザからの各種操作指示等の入力を受け付ける操作部４６と、液晶表示装置等からなり、制御部４０による制御で各種画面を表示する表示部４７と、退室確認スイッチ６とデータ送受信するためのＩ／Ｆ（インタフェイス）４８と、ＬＡＮを介して情報取得装置３及びクライアントコンピュータ５とデータ送受信するためのネットワークＩ／Ｆ４９とが接続されている。
【００４０】
ＨＤＤ４１には、リスト作成部４０１によって作成された上記位置情報リストと、各ＲＦ−ＩＤタグ２の固有の識別情報毎に関連付けられた所定の時刻及び場所を記憶するデータテーブルとが記憶される。
【００４１】
制御部４０は、ＲＯＭ４３に記憶されている上記プログラムによって、リスト作成部４０１と、表示制御部４０３と、不存在判別部４０４と、対応関係判別部４０５と、位置判別部４０６と、アクセス情報判別部４０７として機能する。なお、制御部４０は、これらリスト作成部４０１乃至アクセス制御部４０７として機能する各回路と、上記装置全体の制御を司る回路とで構成されるようにしてもよい。
【００４２】
リスト作成部（リスト作成部）４０１は、情報取得装置３の情報送信部３２から、ＲＦ−ＩＤタグ２が保有する固有の識別情報と、当該ＲＦ−ＩＤタグ２から情報を受信した情報取得装置３の配設場所情報及び上記電話番号情報と、さらに、当該ＲＦ−ＩＤタグ２のメモリ２１に記憶されている個人名情報及び所属部署情報とを受信して、これら全ての情報を対応付けて、複数のＲＦ−ＩＤタグ２のそれぞれの存在位置等を示す位置情報リストを作成する（後述の図６参照）。なお、ＲＦ−ＩＤタグ２から情報を受信した情報取得装置３の配設場所情報は、ＲＦ−ＩＤタグ２の存在位置、ひいては、当該ＲＦ−ＩＤタグ２を携帯すべき企業職員の居場所情報と予測される。上記位置情報リストでは、ＲＦ−ＩＤタグ２から情報を受信した情報取得装置３の配設場所情報は、当該ＲＦ−ＩＤタグ２を携帯すべき企業職員の居場所情報として記憶される。
【００４３】
また、リスト作成部４０１は、作成した上記位置情報リストについて、退室確認スイッチ６が押下されて不存在と判別されたＲＦ−ＩＤタグ２の固有間識別情報に関連付けられている情報取得装置３の配設場所情報、すなわち、当該ＲＦ−ＩＤタグ２を携帯すべき企業職員の居場所情報を、当該企業職員が各情報受信部３１の情報受信範囲内に存在しない旨を示す情報に置き換える。
【００４４】
表示制御部４０３は、リスト作成部４０１によって作成された上記位置情報リストを、画像表示可能な画像データに変換して、表示部４７に表示させる。また、表示制御部４０３は、同様に、対応関係判別部４０５、位置判別部４０６及びアクセス情報判別部４０７の各部によるそれぞれの判別結果を示すための各表示画面を表示部４７に表示させる。
【００４５】
不存在判別部４０４は、情報取得装置３の情報受信部３１が、あるＲＦ−ＩＤタグ２から情報を受信した最終の時点（時刻）から所定時間の経過がタイマ４５で計測された場合に、当該ＲＦ−ＩＤタグ２が情報受信部３１の情報受信範囲内には存在しないと判別する処理を行う。
【００４６】
対応関係判別部４０５は、タイマ４５によって計測された時刻と、ＲＦ−ＩＤタグ２からの情報を受信した情報取得装置３（情報受信部３１）の配設場所とが、ＨＤＤ４１内の上記データテーブルに記憶されている、当該ＲＦ−ＩＤタグ２に関連付けられた所定の時刻及び場所に合致するか否かを判別する。
【００４７】
位置判別部４０６は、操作部４６にＲＦ−ＩＤタグ２の固有の識別情報（又は、このＲＦ−ＩＤタグ２を携帯すべき企業職員の個人名情報）の入力が受け付けられた場合に、ＨＤＤ４１内の上記位置情報リストを参照して、操作部４６で受け付けられた上記ＲＦ−ＩＤタグ２の固有の識別情報等に対応付けられている上記居所情報（情報取得装置３の配設場所情報）を判別する。
【００４８】
アクセス情報判別部４０７は、上記位置情報リストを参照して、操作部４６で受け付けられたＲＦ−ＩＤタグ２の固有の識別情報（又は、このＲＦ−ＩＤタグ２を携帯すべき企業職員の個人名情報）に対応付けられて記憶されている、例えば、電話番号情報を判別する。
【００４９】
次に、クライアントコンピュータ５の構成について説明する。図４はクライアントコンピュータ５の構成の概略を示すブロック図である。クライアントコンピュータ５には、装置全体の動作制御を司る制御部５０が備えられている。この制御部５０には、ホストコンピュータ４から受信した各種情報等を記憶するためのＨＤＤ５１と、装置全体の動作制御用のプログラム等が記憶されているＲＯＭ５２と、制御部５０の作業領域として用いられるＲＡＭ５３と、キーボードやマウス等から構成され、ユーザからの各種操作指示等の入力を受け付ける操作部５４と、液晶表示装置等からなり、制御部５０による制御で各種画面を表示する表示部５５と、ＬＡＮを介してクライアントコンピュータ５とデータ送受信するためのネットワークＩ／Ｆ５６とを有する。
【００５０】
ユーザによる操作で、操作部５４に上記位置情報リストの送信要求の入力が受け付けられると、制御部５０は、ネットワークＩ／Ｆ５６を介して、ホストコンピュータ４に位置情報リスト送信指示を送信する。この位置情報送信リスト送信指示に対応して、ホストコンピュータ４から位置情報リストのデータが送信されてくると、制御部５０は、この位置情報リストのデータをＲＡＭ５３又はＨＤＤ５１に記憶させ、画像表示可能な画像データに変換して、表示部５５に表示させる。
【００５１】
また、制御部５０は、操作部５４に、ユーザによる操作で、ＲＦ−ＩＤタグ２の固有の識別情報（又は、このＲＦ−ＩＤタグ２を携帯すべき企業職員の個人名情報）の入力が受け付けられると、当該ＲＦ−ＩＤタグ２の固有の識別情報等を、ネットワークＩ／Ｆ５６を介してホストコンピュータ４に送信する。ホストコンピュータ４の位置判別部４０６は、ＨＤＤ４１内の上記位置情報リストを参照して、当該ＲＦ−ＩＤタグ２の固有の識別情報等に対応付けられている上記居所情報（情報取得装置３の配設場所情報）を判別し、その判別結果をクライアントコンピュータ５に送り返す。クライアントコンピュータ５の制御部５０は、当該判別結果を表示部５５に表示させるようになっている。
【００５２】
このような構成により、ユーザは、クライアントコンピュータ５からでも、各ＲＦ−ＩＤタグ２を携帯すべき企業職員の存在位置を示す上記位置情報リストの内容を視認でき、また、クライアントコンピュータ５の操作部５４にＲＦ−ＩＤタグ２の固有の識別情報等を入力することによって、当該ＲＦ−ＩＤタグ２を携帯すべき企業職員の存在位置を把握できるようになっている。
【００５３】
次に、情報取得装置３から情報を受信してホストコンピュータ４で各ＲＦ−ＩＤタグの位置情報リストを作成する処理を説明する。図５は当該処理の内容を示すフローチャート、図６は位置情報リストの例を示す図である。あるＲＦ−ＩＤタグ２が、ある情報取得装置３の情報受信部３１の情報受信領域に入り、この情報取得装置３の情報受信部３１が当該ＲＦ−ＩＤタグ２からメモリ２１に記憶されている各種情報を受信すると（Ｇ１）、情報取得装置３は、この各種情報から得られるＲＦ−ＩＤ３が保有する固有の識別情報、所属部署情報及び個人名情報に加えて、当該情報取得装置３の配設場所情報と、当該情報取得装置３が備え付けられている電話機３０の電話番号情報とを、情報送信部３２からホストコンピュータ４に送信する（Ｇ２）。
【００５４】
ホストコンピュータ４の制御部４０が、ネットワークＩ／Ｆ４９を介して、情報取得装置３から、上記のＲＦ−ＩＤタグ２が保有する固有の識別情報、所属部署情報、個人名情報、配設場所情報及び電話番号情報を受信すると（Ｈ１）、リスト作成部４０１は、このＲＦ−ＩＤタグ２の固有の識別情報に、所属部署情報、個人名情報、配設場所情報及び電話番号情報を関連付けて記憶する（Ｈ２）。
【００５５】
さらに、リスト作成部４０１は、上記配設場所情報に基づいて、上記ＲＦ−ＩＤタグ２から情報を受信した情報取得装置３の近傍に配設されている複数の情報取得装置３を検出し、検出した各情報取得装置３が備え付けられているそれぞれの電話機３０の電話番号情報を、上記ＲＦ−ＩＤタグ２の固有識別情報に関連付けて記憶する（Ｈ３）。ホストコンピュータ４は、ＨＤＤ４１に、設置されている全ての情報取得装置３の配設場所情報を記憶しており、各配設場所情報には、近傍に配設されている情報取得装置３の配設場所情報が関連付けられて記憶されている。リスト作成部４０１は、この配設場所情報に基づいて、上記ＲＦ−ＩＤタグ２から情報を受信した情報取得装置３の近傍の情報取得装置３の配設場所情報を検出する。
【００５６】
このようにして、リスト作成部４０１は、各ＲＦ−ＩＤタグ２の固有識別情報毎に、所属部署情報及び個人名情報と、上記のＨ２及びＨ３で関連付けた情報取得装置３の配設場所情報及び電話番号情報と、近傍の情報取得装置３が備え付けられた複数の電話機３０の電話番号情報とを整理して、図６に示すような、位置情報リストを作成する。なお、Ｈ２及びＨ３で関連付けた情報取得装置３が備え付けられた電話機３０の電話番号情報は、電話番号情報を記憶する記憶領域の先頭に記憶する等、ＲＦ−ＩＤタグ２の存在位置に最も近い位置にあると予測される電話機３０の電話番号情報として取り扱うことが可能となるように記憶される。この位置情報リストは、表示制御部４０３が表示部４７に表示させる（Ｈ４）。
【００５７】
次に、ホストコンピュータ４の操作部４６で受け付けられた個人名情報等に関連付けられた電話番号情報を判別して表示する場合の処理を説明する。図７は当該処理を示すフローチャート、図８は操作部４６で受け付けられた個人名情報等に関連付けられた電話番号情報の表示例を示す図、図９は操作部で受け付けられた個人名情報等に関連付けられた電話番号情報の表示例の他の例を示す図である。
【００５８】
ホストコンピュータ４の操作部４６に、ユーザからの入力で個人名情報（又はＲＦ−ＩＤタグ２の固有識別情報）が受け付けられると（Ｈ１１でＹＥＳ）、位置判別部４０６は、上記の位置情報リストを参照して、当該受け付けられた個人名情報等に関連付けられた電話番号情報及び居場所情報を判別する（Ｈ１２）。表示制御部４０３は、当該判別結果に基づいて、上記位置情報リストに記憶されている先頭の電話番号情報（最寄りの電話機３０の電話番号情報）を読み出して画面表示用データを作成し、表示部４７に表示させる（Ｈ１３）。
【００５９】
この場合、例えば、操作部４６に、個人名情報の開始文字として、「相」の文字の入力が受け付けられたときは、図８に示すように、「相」の文字を含む全ての個人名情報と、それぞれの個人名情報に関連付けられて位置情報リストに記憶されている最寄りの電話機３０の電話番号および居場所情報とが表示されるようにしてもよい。また、図９に示すように、検索された個人名情報についての、最寄りの電話機３０の電話番号及び居場所情報と、近傍の電話機３０の電話番号及び居場所情報を表示するようにしてもよい。
【００６０】
これにより、ユーザが、連絡先を知りたい人物についての個人名情報を操作部４６に入力すれば、当該人物への連絡先となると予測される複数の電話番号情報が、可能性の高いものから上から順に表示部４７に表示されるので、ユーザは、表示部４７の表示画面を視認すれば瞬時に、当該人物の連絡先候補を把握することができる。
【００６１】
また、位置検出システム１は、ＲＦ−ＩＤタグ２（ＲＦ−ＩＤタグ２を携帯すべき企業職員等）が指定時刻に指定場所に存在するか否かを判別し、指定時刻に指定場所に存在しない場合には警告を発する処理を行うようになっている。図１０は当該処理を示すフローチャートである。
【００６２】
あるＲＦ−ＩＤタグ２が、情報取得装置３の情報受信部３１の情報受信範囲内に移動したことを要因として、ホストコンピュータ４の制御部４０が、当該情報取得装置３からその配設場所情報を受信すると（Ｈ２１）、対応関係判別部４０５は、タイマ４５から、当該受信時の時刻情報を取得する（Ｈ２２）。
【００６３】
そして、対応関係判別部４０５は、ＨＤＤ４１に記憶されているデータテーブルを参照して、上記ＲＦ−ＩＤタグ２から受信した配設場所情報と当該受信時の時刻情報との対応関係が、上記データテーブルに記憶されている上記ＲＦ−ＩＤタグ２に関連付けられている指定場所及び指定時刻に一致するかを判別し（Ｈ２３）、一致しないと判断した場合は（Ｈ２３でＮＯ）、表示制御部４０３は、ユーザに対して警告を促すメッセージを表示部４７に表示させる（Ｈ２４）。
【００６４】
これにより、ユーザが上記表示部４７に表示された警告メッセージを視認することにより、例えば、ＲＦ−ＩＤタグ２が、決められた時間に決められた位置に存在しないこと、すなわち、このＲＦ−ＩＤタグ２を携帯しているべき人物が、定刻に決められた場所に存在しないことを容易に検出して把握することができる。
【００６５】
（第２実施形態）
次に、位置検出システム１で上記位置情報リスト作成時に行われる処理の第２実施形態を説明する。位置検出システム１の構成は、特に明記しない限り、第１実施形態と同様である。図１１は、位置検出システム１による上記位置情報リスト作成時の処理の第２実施形態を示すフローチャートである。上記第１実施形態では、情報取得装置３から受信したＲＦ−ＩＤタグ２の固有の識別情報及び情報取得装置３の配設場所情報等に基づいて位置情報リストを作成するが、第２実施形態では、退室確認スイッチ６のオン／オフと、情報取得装置３から情報を受信した時からの時間経過とに基づいて判別したＲＦ−ＩＤタグ２の存在／不存在の結果とを反映させて上記位置情報リストを作成する。なお、第１実施形態（図５）と同様の処理は、同符号を付して説明を省略する。
【００６６】
ホストコンピュータ４の制御部４０が、情報取得装置３からＲＦ−ＩＤタグ２が保有する固有の識別情報、所属部署情報及び個人名情報と、当該情報送信部３の配設場所情報と、当該情報取得装置３が備え付けられている電話機３０の電話番号とを受信し（Ｈ１）、位置情報リストを作成する処理（Ｈ２，Ｈ３）を行うのと並行して、不存在判別部４０４は、当該ＲＦ−ＩＤタグ２について上記各種情報を、最初に情報取得装置３から上記各情報を受信した時点から（Ｈ３１）、タイマ４５に時間経過を開始させる（Ｈ３２）。そして、不存在判別部４０４は、上記Ｈ３１で受信したＲＦ−ＩＤタグ２の固有の識別情報が、どの情報取得装置３からも受信されなくなった場合には（Ｈ３３でＮＯ）、当該ＲＦ−ＩＤタグ２が、全ての情報取得装置３の情報受信部３１の情報受信領域内に存在しなくなったと判別する（Ｈ３６）。そして、リスト作成部４０１は、この判別結果に基づいて、当該ＲＦ−ＩＤタグ２の固有の識別情報に関連付けられている電話番号情報及び居場所情報を「不存在」を示す情報に変更する（Ｈ３７）。
【００６７】
また、当該ＲＦ−ＩＤタグ２の各種情報が、いずれかの情報取得装置３から不存在判別部４０４に受信されていても（Ｈ３３でＹＥＳ）、退室確認スイッチ６からスイッチのオン信号を受信した場合は（Ｈ３４でＹＥＳ）、不存在判別部４０４は、当該ＲＦ−ＩＤタグ２が、全ての情報取得装置３の情報受信部３１による情報受信領域内に存在しなくなったと判別し（Ｈ３６）、当該ＲＦ−ＩＤタグ２の固有の識別情報に関連付けられている電話番号情報及び居場所情報を「不存在」を示す情報に変更する（Ｈ３７）。
【００６８】
さらに、上記退室確認スイッチ６からスイッチのオン信号が受信されなくても（Ｈ３４でＮＯ）、Ｈ３２で開始したタイマ４５による時間計測により所定時間（例えば、就業時間と想定される８時間等）が経過した場合は（Ｈ３５でＹＥＳ）、不存在判別部４０４は、当該ＲＦ−ＩＤタグ２が、全ての情報取得装置３の情報受信部３１による情報受信領域内に存在しなくなったと判別し（Ｈ３６）、位置情報リストの、当該ＲＦ−ＩＤタグ２の固有の識別情報に関連付けられている電話番号情報及び居場所情報を「不存在」を示す情報に変更する（Ｈ３７）。
【００６９】
これにより、例えば、ＲＦ−ＩＤタグ２を保有しているべき人物等が、情報受信部３１の情報受信範囲内にＲＦ−ＩＤタグ２を放置してその場を離れ、情報受信部３１がＲＦ−ＩＤタグ２からの情報を受信し続けていたとしても、ＲＦ−ＩＤタグ２を保有しているべき人物等がその場を離れたこと、すなわち、情報受信部３１の情報受信範囲内に存在しなくなったことを正確に判別することが可能になる。
【００７０】
また、位置検出システム１は、所属部署毎に個人名を並べ替えて位置情報リストを表示することも可能である。図１２は、所属部署毎に個人名を並べ替えて位置情報リストを表示する処理を示すフローチャート、図１３は所属部署情報入力時の表示画面の例を示す図、図１４は所属部署毎に個人名を並べ替えた位置情報リストの表示例を示す図である。
【００７１】
表示制御部４０３が、上記位置情報リストに記憶されている全ての所属部署情報を、図１３のように、表示部４７に表示させている状態で（Ｈ４１）、表示部４７の表示画面上でのマウスポインタでの指定等により、操作部４６によってユーザからの所属部署情報の入力が受け付けられると（Ｈ４２でＹＥＳ）、表示制御部４０３は、位置情報リストに基づいて、受け付けられた所属部署情報毎に、各個人名情報、電話番号情報及び居場所情報を並べ替えて（Ｈ４３）、上記位置情報リストに記憶されている各情報を、図１４に示すようにして、表示部４７に表示させる（Ｈ４４）。
【００７２】
このような処理を行うことで、ユーザは、企業の職員の居場所を各所属部署別に、瞬時に確認することができる。
【００７３】
なお、本発明は上記実施の形態の構成に限られず種々の変形が可能である。上記実施形態では、位置検出システム１の構成及び処理等を図１乃至図１４に示しているが、これらの構成及び処理等はあくまでも一例であり、本発明に係る位置検出システム１の構成及び処理は上記に限定されるものではない。
【図面の簡単な説明】
【００７４】
【図１】本発明の一実施形態に係る位置検出システムの概略構成を示す図である。
【図２】ＲＦ−ＩＤタグ及び情報取得装置の構成の概略を示す図である。
【図３】ホストコンピュータの構成の概略を示すブロック図である。
【図４】クライアントコンピュータの構成の概略を示すブロック図である。
【図５】情報取得装置から情報を受信してホストコンピュータで各ＲＦ−ＩＤタグの位置情報リストを作成する処理を示すフローチャートである。
【図６】位置情報リストの例を示す図である。
【図７】ホストコンピュータの操作部で受け付けられた個人名情報等に関連付けられた電話番号情報を判別して表示する場合の処理を示すフローチャートである。
【図８】操作部で受け付けられた個人名情報等に関連付けられた電話番号情報の表示例を示す図である。
【図９】操作部で受け付けられた個人名情報等に関連付けられた電話番号情報の表示例の他の例を示す図である。
【図１０】位置検出システムで、指定時刻に指定場所に存在しない場合に警告を発する処理を示すフローチャートである。
【図１１】位置検出システムによる上記位置情報リスト作成時の処理の第２実施形態を示すフローチャートである。
【図１２】所属部署毎に個人名を並べ替えて位置情報リストを表示する処理を示すフローチャートである。
【図１３】所属部署情報入力時の表示画面の例を示す図である。
【図１４】所属部署毎に個人名を並べ替えた位置情報リストの表示例を示す図である。
【符号の説明】
【００７５】
１      位置検出システム
２      ＲＦ−ＩＤタグ
３      情報取得装置
４      ホストコンピュータ
５      クライアントコンピュータ
６      退室確認スイッチ
３１    情報受信部
３２    情報送信部
４０    制御部
４５    タイマ
４６    操作部
４７    表示部
４０１  リスト作成部
４０３  表示制御部
４０４  不存在判別部
４０５  対応関係判別部
４０６  位置判別部
４０７  アクセス情報判別部
【図１】
2005181224.tif 000003
【図２】
2005181224.tif 000004
【図３】
2005181224.tif 000005
【図４】
2005181224.tif 000006
【図５】
2005181224.tif 000007
【図６】
2005181224.tif 000008
【図７】
2005181224.tif 000009
【図８】
2005181224.tif 000010
【図９】
2005181224.tif 000011
【図１０】
2005181224.tif 000012
【図１１】
2005181224.tif 000013
【図１２】
2005181224.tif 000014
【図１３】
2005181224.tif 000015
【図１４】
2005181224.tif 000016